(57)【要約】【課題】全てのフォーマットのコンテンツを外部の機器から取り込んで記録するか、所定のフォーマットのコンテンツだけを外部の機器から取り込んで記録するかを選択することができるようにする。【解決手段】取り込みモードとして「HDV1080i」が選択された場合、記録制御装置による制御にしたがって、ダビング元のテープの先頭の位置に記録されているHDV1080iフォーマットのコンテンツが外部機器により再生される。再生されたHDV1080iフォーマットのコンテンツは記録制御装置に取り込まれ、ダビング先のテープに記録される。DVCAMフォーマットのコンテンツ、DV SPフォーマットのコンテンツ、無信号が記録されているダビング元のテープの位置は早送りされ、記録制御装置には取り込まれない。本発明は、外部機器からコンテンツを取り込む装置に適用することができる。【選択図】図６
2007220220.tif 000002
【特許請求の範囲】
【請求項１】
外部の機器に装着された記録媒体に記録されているコンテンツを前記外部の機器に再生させることによって取り込み、取り込まれたコンテンツを所定の記録媒体に記録させる記録制御手段と、
前記外部の機器から取り込むことが可能なコンテンツとして複数のフォーマットのコンテンツがある場合、全てのフォーマットのコンテンツを取り込む第１のモードと、前記複数のフォーマットのうちの所定のフォーマットのコンテンツだけを取り込む第２のモードのうちのいずれかのモードを選択するユーザの操作を受け付ける受け付け手段と
を備える記録制御装置。
【請求項２】
前記第２のモードを選択するユーザの操作が前記受け付け手段により受け付けられた場合、
前記記録制御手段は、ユーザにより選択された前記所定のフォーマット以外のフォーマットのコンテンツが記録されている前記記録媒体の位置と、いずれのコンテンツも記録されていない前記記録媒体の位置を前記外部の機器に早送りさせる
請求項１に記載の記録制御装置。
【請求項３】
前記第１のモードを選択するユーザの操作が前記受け付け手段により受け付けられた場合、
前記記録制御手段は、いずれのコンテンツも記録されていない前記記録媒体の位置を前記外部の機器に早送りさせる
請求項１に記載の記録制御装置。
【請求項４】
前記記録制御手段は、さらに、取り込まれたコンテンツを、そのコンテンツのフォーマットと異なるフォーマットのコンテンツに変換し、前記所定の記録媒体に記録させる
請求項１に記載の記録制御装置。
【請求項５】
外部の機器に装着された記録媒体に記録されているコンテンツを前記外部の機器に再生させることによって取り込み、取り込まれたコンテンツを所定の記録媒体に記録させ、
前記外部の機器から取り込むことが可能なコンテンツとして複数のフォーマットのコンテンツがある場合、全てのフォーマットのコンテンツを取り込む第１のモードと、前記複数のフォーマットのうちの所定のフォーマットのコンテンツだけを取り込む第２のモードのうちのいずれかのモードを選択するユーザの操作を受け付ける
ステップを含む記録制御方法。
【請求項６】
外部の機器に装着された記録媒体に記録されているコンテンツを前記外部の機器に再生させることによって取り込み、取り込まれたコンテンツを所定の記録媒体に記録させ、
前記外部の機器から取り込むことが可能なコンテンツとして複数のフォーマットのコンテンツがある場合、全てのフォーマットのコンテンツを取り込む第１のモードと、前記複数のフォーマットのうちの所定のフォーマットのコンテンツだけを取り込む第２のモードのうちのいずれかのモードを選択するユーザの操作を受け付ける
ステップを含む処理をコンピュータに実行させるプログラム。
【発明の詳細な説明】
【技術分野】
【０００１】
本発明は、記録制御装置、記録制御方法、およびプログラムに関し、特に、外部の機器に装着された記録媒体に複数のフォーマットのコンテンツが記録されている場合に、全てのフォーマットのコンテンツを外部の機器から取り込んで記録するか、所定のフォーマットのコンテンツだけを外部の機器から取り込んで記録するかをユーザが選択することができるようにした記録制御装置、記録制御方法、およびプログラムに関する。
【背景技術】
【０００２】
主に業務用の機器として、IEEE(Institute of Electrical and Electronics Engineers)1394ケーブルなどを介して接続されるビデオカメラなどの外部の機器を制御してその外部の機器に装着された記録媒体に記録されているコンテンツを取り込み、取り込んだコンテンツを自機に装着された記録媒体にダビング（記録）させる機器がある。
【０００３】
このような機器は、例えば、テープ、半導体メモリを内蔵するメモリカード、光ディスクなどの複数の記録媒体にわたって番組の撮影が行われた場合に、複数の記録媒体に記録されている内容を１本のテープなどの他の記録媒体にまとめるときなどに用いられる。撮影者は、コンテンツのプレーヤ側としてのビデオカメラに装着させる例えばテープを適宜入れ替え、１本ずつ、テープに記録されているコンテンツをレコーダ側の機器に装着されているテープにダビングさせる。
【０００４】
複数のテープに記録されていたコンテンツをまとめたテープは、例えば、編集業者などに渡される。編集業者においては、テープに記録されているコンテンツが例えばパーソナルコンピュータなどのノンリニア編集が可能な機器に取り込まれ、複数のテープにわたって撮影が行われ、記録された内容がまとめて編集される。
【０００５】
特許文献１には、DVカメラから取り込まれたデータに対して編集を施し、得られたデータをDVD(Digital Versatile Disc)に記録する技術が開示されている。
【特許文献１】特開２００４−２２１８８４号公報
【発明の開示】
【発明が解決しようとする課題】
【０００６】
ところで、近年、フォーマットを切り替えて撮影を行い、異なるフォーマットのコンテンツを記録することができるビデオカメラがある。HDV（登録商標）フォーマット、DVCAMフォーマット、DV SPフォーマットなどが切り替え可能なフォーマットとして用意されているビデオカメラもある。
【０００７】
このようなビデオカメラを用いて撮影を行った場合、１本のテープに複数のフォーマットのコンテンツが混在する状態が生じることがあり、このことが編集時に問題になる。
【０００８】
また、それぞれのテープでフォーマットを替えて撮影を行ったとしても、上述したように複数のテープに記録されているコンテンツを１本のテープにまとめるような作業を行ったときに、作業によって得られた１本のテープに複数のフォーマットのコンテンツが混在する状態が生じることがあり、このことが編集時に問題になる。
【０００９】
例えば、編集に用いる機器が、HDVフォーマットのコンテンツには対応しているがDVCAMフォーマットのコンテンツに対応していない場合、対応していないDVCAMフォーマットのコンテンツをテープから取り込もうとしたときに機器がハングアップしてしまうことがある。
【００１０】
仮に、複数のテープに記録されているコンテンツを１本のテープにまとめたりするときに、所定のフォーマットのコンテンツだけを指定してダビングすることができるとすれば、このような問題も解消するものと考えられる。
【００１１】
本発明はこのような状況に鑑みてなされたものであり、外部の機器に装着された記録媒体に複数のフォーマットのコンテンツが記録されている場合に、全てのフォーマットのコンテンツを外部の機器から取り込んで記録するか、所定のフォーマットのコンテンツだけを外部の機器から取り込んで記録するかをユーザが選択することができるようにするものである。
【課題を解決するための手段】
【００１２】
本発明の一側面の記録制御装置は、外部の機器に装着された記録媒体に記録されているコンテンツを前記外部の機器に再生させることによって取り込み、取り込まれたコンテンツを所定の記録媒体に記録させる記録制御手段と、前記外部の機器から取り込むことが可能なコンテンツとして複数のフォーマットのコンテンツがある場合、全てのフォーマットのコンテンツを取り込む第１のモードと、前記複数のフォーマットのうちの所定のフォーマットのコンテンツだけを取り込む第２のモードのうちのいずれかのモードを選択するユーザの操作を受け付ける受け付け手段とを備える。
【００１３】
前記第２のモードを選択するユーザの操作が前記受け付け手段により受け付けられた場合、前記記録制御手段には、ユーザにより選択された前記所定のフォーマット以外のフォーマットのコンテンツが記録されている前記記録媒体の位置と、いずれのコンテンツも記録されていない前記記録媒体の位置を前記外部の機器に早送りさせることができる。
【００１４】
前記第１のモードを選択するユーザの操作が前記受け付け手段により受け付けられた場合、前記記録制御手段には、いずれのコンテンツも記録されていない前記記録媒体の位置を前記外部の機器に早送りさせることができる。
【００１５】
前記記録制御手段には、さらに、取り込まれたコンテンツを、そのコンテンツのフォーマットと異なるフォーマットのコンテンツに変換し、前記所定の記録媒体に記録させることができる。
【００１６】
本発明の一側面の記録制御方法またはプログラムは、外部の機器に装着された記録媒体に記録されているコンテンツを前記外部の機器に再生させることによって取り込み、取り込まれたコンテンツを所定の記録媒体に記録させ、前記外部の機器から取り込むことが可能なコンテンツとして複数のフォーマットのコンテンツがある場合、全てのフォーマットのコンテンツを取り込む第１のモードと、前記複数のフォーマットのうちの所定のフォーマットのコンテンツだけを取り込む第２のモードのうちのいずれかのモードを選択するユーザの操作を受け付けるステップを含む。
【００１７】
本発明の一側面においては、外部の機器に装着された記録媒体に記録されているコンテンツが前記外部の機器により再生されることによって取り込まれ、取り込まれたコンテンツが所定の記録媒体に記録される。また、前記外部の機器から取り込むことが可能なコンテンツとして複数のフォーマットのコンテンツがある場合、全てのフォーマットのコンテンツを取り込む第１のモードと、前記複数のフォーマットのうちの所定のフォーマットのコンテンツだけを取り込む第２のモードのうちのいずれかのモードを選択するユーザの操作が受け付けられる。
【発明の効果】
【００１８】
本発明の一側面によれば、外部の機器に装着された記録媒体に複数のフォーマットのコンテンツが記録されている場合に、全てのフォーマットのコンテンツを外部の機器から取り込んで記録するか、所定のフォーマットのコンテンツだけを外部の機器から取り込んで記録するかをユーザは選択することができる。
【発明を実施するための最良の形態】
【００１９】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００２０】
本発明の一側面の記録制御装置（例えば、図１の記録制御装置１）は、外部の機器に装着された記録媒体に記録されているコンテンツを前記外部の機器に再生させることによって取り込み、取り込まれたコンテンツを所定の記録媒体に記録させる記録制御手段（例えば、図７のIEEE1394 I/F３１）と、前記外部の機器から取り込むことが可能なコンテンツとして複数のフォーマットのコンテンツがある場合、全てのフォーマットのコンテンツを取り込む第１のモードと、前記複数のフォーマットのうちの所定のフォーマットのコンテンツだけを取り込む第２のモードのうちのいずれかのモードを選択するユーザの操作を受け付ける受け付け手段（例えば、図７のメインマイコン２１）とを備える。
【００２１】
本発明の一側面の記録制御方法またはプログラムは、外部の機器に装着された記録媒体に記録されているコンテンツを前記外部の機器に再生させることによって取り込み、取り込まれたコンテンツを所定の記録媒体に記録させ、前記外部の機器から取り込むことが可能なコンテンツとして複数のフォーマットのコンテンツがある場合、全てのフォーマットのコンテンツを取り込む第１のモードと、前記複数のフォーマットのうちの所定のフォーマットのコンテンツだけを取り込む第２のモードのうちのいずれかのモードを選択するユーザの操作を受け付けるステップ（例えば、図８のステップＳ５）を含む。
【００２２】
以下、本発明の実施の形態について図を参照して説明する。
【００２３】
図１は、本発明の一実施形態に係る記録制御装置１を含む記録制御システムの構成例を示す図である。
【００２４】
図１に示されるように、この記録制御システムは、例えば、記録制御装置１、ビデオカメラ２、および再生装置３から構成される。
【００２５】
記録制御装置１とビデオカメラ２、記録制御装置１と再生装置３は、IEEE1394ケーブルを介して接続される。ビデオカメラ２と再生装置３は記録制御装置１の外部機器であり、記録制御装置１による制御にしたがって動作する。
【００２６】
記録制御装置１は、図２に示されるように、複数のテープに記録されているコンテンツを１本のテープにタイムコードごとまとめるときなどに用いられる。図２の例においては、プレーヤ側の機器になるビデオカメラ２や再生装置３などの外部機器に装着されたテープＡ乃至Ｃに記録されているコンテンツが、レコーダ側の機器になる記録制御装置１に装着された１本のテープにダビングされている。
【００２７】
図１に示されるように、記録制御装置１には、所定の規格のテープを装着可能なテープ装着部１１が設けられており、このテープ装着部１１に、コンテンツのダビング先になるテープが装着される。記録制御装置１には、LCD(Liquid Crystal Display)などよりなる表示部１２も筐体表面に設けられている。
【００２８】
このように、外部機器に再生を行わせることによって、その外部機器に装着されたダビング元のテープからコンテンツを記録制御装置１に取り込み、取り込まれたコンテンツを記録制御装置１に装着されたダビング先のテープに記録させるとき、ユーザは、コンテンツを取り込むモードとして、ダビング元のテープに記録されている全てのフォーマットのコンテンツを取り込んで記録するモードと、所定のフォーマットのコンテンツだけを取り込んで記録するモードのうちのいずれかのモードを選択することができるようになされている。
【００２９】
ビデオカメラ２はHDVフォーマット、DVCAMフォーマット、DV SPフォーマットなどの複数のフォーマットの記録に対応したビデオカメラであり、フォーマットを切り替えて撮影が行われた場合、ビデオカメラ２に装着されるテープには複数のフォーマットのコンテンツが混在することになる。また、再生装置３にはビデオカメラ２によって撮影され、コンテンツが記録されたテープなどが装着されるから、再生装置３によって再生されるテープにも複数のフォーマットのコンテンツが混在することがある。
【００３０】
図３は、コンテンツの取り込みモードを選択するときに記録制御装置１の表示部１２に表示される画面の例を示す図である。
【００３１】
例えば、記録制御装置１と外部機器をIEEE1394ケーブルによって接続し、記録制御装置１のテープ装着部１１にダビング先のテープを、外部機器にダビング元のテープをそれぞれ装着して所定の操作を行ったときに図３の画面が表示される。
【００３２】
図３の例においては、画面の右方に「FORMAT SEL」の文字が表示され、その下に、選択可能なモードを表す文字として「ALL」、「HDV1080i」、「DVCAM」、「DV SP」の文字が表示されている。ユーザは、記録制御装置１の筐体表面に設けられる十字キーの上下のボタンを操作してカーソルＣを移動させ、決定キーを押すことによって、そのときカーソルＣをあてているモードを選択することができる。
【００３３】
選択可能なモードとして一覧表示される「ALL」、「HDV1080i」、「DVCAM」、「DV SP」を選択したときの記録制御装置１の動作について図４に示す。
【００３４】
「ALL」は、プレーヤである外部機器に装着されたテープに記録されているHDV1080iフォーマットのコンテンツ（水平走査線数が１０８０、走査方式がインタレース方式のHD(High Definition)画像を含むコンテンツ）、DVCAMフォーマットのコンテンツ、DV SPフォーマットのコンテンツ、すなわち、全てのフォーマットのコンテンツを外部機器に再生させて取り込むモードである。この例においては、記録制御装置１がダビングすることが可能なコンテンツのフォーマットは、HDV1080iフォーマット、DVCAMフォーマット、DV SPフォーマットの３種類とされている。
【００３５】
図４の例においては、コンテンツの取り込みモードとして「ALL」が選択され、ダビング元のテープにHDVフォーマットのコンテンツではあるが、記録制御装置１がダビングすることのできないコンテンツであるHDV720pフォーマットのコンテンツ（水平走査線数が７２０、走査方式がプログレッシブ方式のHD画像を含むコンテンツ）が記録されている場合、その記録位置に対応するダビング先のテープの位置には無信号が記録されるものとされている。
【００３６】
また、ダビング元のテープにDVフォーマットのコンテンツではあるが、記録制御装置１がダビングすることのできないコンテンツであるDV LPフォーマットのコンテンツが記録されている場合、その記録位置に対応するダビング先のテープの位置には、外部機器から取り込まれたDV LPフォーマットのコンテンツがDV SPフォーマットのコンテンツに変換されて記録されるものとされている。
【００３７】
「HDV1080i」は、プレーヤである外部機器に装着されたテープに記録されているHDV1080iフォーマットのコンテンツだけを外部機器に再生させて取り込むモードである。
【００３８】
コンテンツの取り込みモードとして「HDV1080i」が選択され、ダビング元のテープにHDV1080iフォーマット以外のフォーマットのコンテンツが記録されている場合、その記録位置は、記録制御装置１による制御にしたがって早送り（スキップ）され、HDV1080iフォーマット以外のフォーマットのコンテンツは記録制御装置１に取り込まれない。
【００３９】
「DVCAM」は、プレーヤである外部機器に装着されたテープに記録されているDVCAMフォーマットのコンテンツだけを外部機器に再生させて取り込むモードである。
【００４０】
コンテンツの取り込みモードとして「DVCAM」が選択され、ダビング元のテープにDVCAMフォーマット以外のフォーマットのコンテンツが記録されている場合、その記録位置は、記録制御装置１による制御にしたがって早送りされ、DVCAMフォーマット以外のフォーマットのコンテンツは記録制御装置１に取り込まれない。
【００４１】
「DV SP」は、プレーヤである外部機器に装着されたテープに記録されているDV SPフォーマットのコンテンツだけを外部機器に再生させて取り込むモードである。
【００４２】
コンテンツの取り込みモードとして「DV SP」が選択され、ダビング元のテープにDV SPフォーマット以外のフォーマットのコンテンツが記録されている場合、その記録位置は記録制御装置１による制御にしたがって早送りされ、DV SPフォーマット以外のフォーマットのコンテンツは記録制御装置１に取り込まれない。
【００４３】
これらの「HDV1080i」、「DVCAM」、「DV SP」が、上述した「所定のフォーマットのコンテンツだけを取り込んで記録するモード」になる。
【００４４】
図５は、ダビング元のテープに記録されている全てのフォーマットのコンテンツを取り込むモードが選択されたとき、すなわち、図３の画面から「ALL」が選択されたときに行われるダビングの例を示す図である。
【００４５】
図５の例においては、外部機器に装着されたダビング元のテープに、HDV1080iフォーマットのコンテンツ、DVCAMフォーマットのコンテンツ、DV SPフォーマットのコンテンツ、無信号が、時系列順に記録されている。図５において横方向が時間方向を表す。
【００４６】
このように、複数のフォーマットのコンテンツがダビング元のテープに記録されている場合、フォーマットの変化点と、それぞれの位置に記録されているコンテンツのフォーマットの種類は、IEEE1394通信によって外部機器から記録制御装置１に通知されるシステムモードとトラックピッチの情報から判断される。
【００４７】
ダビング元のテープに記録されているコンテンツがHDV1080i，HDV720p，HDV480pのうちのどのHDVフォーマットのコンテンツであるのかと、ダビング元のテープに記録されているコンテンツがHDVフォーマットとDVフォーマットのうちのいずれのフォーマットのコンテンツであるのかは、システムモードにより判断される。
【００４８】
また、ダビング元のテープに記録されているコンテンツがDVCAM，DV SP，DV LPのうちのどのDVフォーマットのコンテンツであるのかは、トラックピッチにより判断される。
【００４９】
例えば、図５の上方に示されるようなフォーマットのコンテンツがダビング元のテープに記録されており、取り込みモードとして「ALL」が選択された場合、図５の下方に示されるように、記録制御装置１による制御にしたがって、HDV1080iフォーマットのコンテンツ、DVCAMフォーマットのコンテンツ、DV SPフォーマットのコンテンツの順で外部機器により再生される。再生されたコンテンツはIEEE1394ケーブルを介して記録制御装置１に取り込まれ、ダビング先のテープに記録される。
【００５０】
また、この場合、無信号が記録されているダビング元のテープの位置は早送りされ、無信号は記録制御装置１に取り込まれない。
【００５１】
図６は、所定のフォーマットのコンテンツだけを取り込むモードが選択されたときに行われるダビングの例を示す図である。ここでは、図３の画面から「HDV1080i」が選択されたものとする。
【００５２】
図６の例においては、外部機器に装着されたダビング元のテープに、HDV1080iフォーマットのコンテンツ、DVCAMフォーマットのコンテンツ、DV SPフォーマットのコンテンツ、無信号、HDV1080iフォーマットのコンテンツが、時系列順に記録されている。図６においても横方向が時間方向を表す。フォーマットの変化点と、それぞれの位置に記録されているコンテンツのフォーマットの種類は、IEEE1394通信によって外部機器から記録制御装置１に通知されるシステムモードとトラックピッチの情報から判断される。
【００５３】
例えば、図６の上方に示されるようなフォーマットのコンテンツがダビング元のテープに記録されており、取り込みモードとして「HDV1080i」が選択された場合、図６の下方に示されるように、記録制御装置１による制御にしたがって、時間的に先頭の位置に記録されているHDV1080iフォーマットのコンテンツが外部機器により再生される。再生されたHDV1080iフォーマットのコンテンツはIEEE1394ケーブルを介して記録制御装置１に取り込まれ、ダビング先のテープに記録される。
【００５４】
HDV1080iフォーマットのコンテンツの再生が終了したとき、DVCAMフォーマットのコンテンツ、DV SPフォーマットのコンテンツ、無信号が記録されているダビング元のテープの位置は早送りされ、これらのコンテンツは記録制御装置１に取り込まれない。
【００５５】
無信号が記録されている位置までダビング元のテープの早送りが終了したとき、次に記録されているHDV1080iフォーマットのコンテンツは、記録制御装置１による制御にしたがって外部機器により再生される。再生されたHDV1080iフォーマットのコンテンツはIEEE1394ケーブルを介して記録制御装置１に取り込まれ、ダビング先のテープに記録される。
【００５６】
このような処理が繰り返されることによって、ダビング先のテープには、図６の下方に示されるように、HDV1080iフォーマットのコンテンツだけが続けて記録される。
【００５７】
以上のように、ユーザは、「ALL」を選択することによって、ダビング元のテープに記録されている全てのフォーマットのコンテンツをダビング先のテープに記録させることができる。
【００５８】
また、ユーザは、「HDV1080i」を選択することによって、ダビング元のテープに記録されているHDV1080iフォーマットのコンテンツだけをダビング先のテープに記録させることができる。これにより、１本のテープに複数のフォーマットのコンテンツが混在することによって編集者に不便さを与えてしまうことを防ぐことができる。
【００５９】
外部機器を制御してダビングを行う記録制御装置１の動作については後に詳述する。
【００６０】
図７は、記録制御装置１の構成例を示すブロック図である。
【００６１】
メインマイコン２１（メインマイクロコンピュータ２１）は、サブマイコン２２（サブマイクロコンピュータ２２）とベースバンドブロック３７を制御し、記録制御装置１の全体の動作を制御する。記録制御装置１の筐体表面に設けられた十字キーや決定キーなどを用いたユーザの各種の操作は、このメインマイコン２１により受け付けられる。
【００６２】
例えば、メインマイコン２１は、サブマイコン２２を制御して、IEEE1394ケーブルを介して記録制御装置１に接続されるビデオカメラ２や再生装置３からコンテンツを取り込ませたりする。
【００６３】
サブマイコン２２は、メインマイコン２１による制御にしたがって、IEEE1394 I/F３１、テープ駆動部３３、HDV MUX/DEMUX３４（HDVマルチプレクサ／デマルチプレクサ３４）、HDVコーデック３５、DVコーデック３６を制御する。例えば、サブマイコン２２は、外部機器からのコンテンツの取り込みをIEEE1394 I/F３１に行わせ、取り込まれたコンテンツをテープ駆動部３３に転送させて、テープ装着部１１に装着されたダビング先のテープに記録させる。
【００６４】
また、サブマイコン２２は、HDV MUX/DEMUX３４とHDVコーデック３５により実現される、HDVフォーマットのコンテンツの処理を行う機能と、DVコーデック３６により実現される、DVフォーマットのコンテンツの処理を行う機能とを、処理対象になっているコンテンツのフォーマットに応じて切り替える。サブマイコン２２は、例えばHDVフォーマットのコンテンツが外部機器から取り込まれたとき、HDV MUX/DEMUX３４とHDVコーデック３５を制御してそのコンテンツの処理を行わせ、DVCAM、DV SPなどのDVフォーマットのコンテンツが外部機器から取り込まれたとき、DVコーデック３６を制御してその画像の処理を行わせる。
【００６５】
IEEE1394 I/F３１は、サブマイコン２２による制御にしたがってAV/Cコマンド（AV/C Digital Interface Command Set）を生成し、IEEE1394端子３２に装着されたIEEE1394ケーブルを介して接続されるビデオカメラ２、再生装置３などの外部機器を制御する。IEEE1394 I/F３１は、外部機器から取り込まれたHDVフォーマットのコンテンツをHDV MUX/DEMUX３４に出力し、外部機器から取り込まれたDVフォーマットのコンテンツをDVコーデック３６に出力する。また、IEEE1394 I/F３１は、HDV MUX/DEMUX３４、DVコーデック３６からデータが供給されたとき、供給されたデータを外部機器に出力する。
【００６６】
テープ駆動部３３は、テープ装着部１１に装着されたテープを制御し、テープから取り込まれたHDVフォーマットのコンテンツをHDV MUX/DEMUX３４に出力し、テープから取り込まれたDVフォーマットのコンテンツをDVコーデック３６に出力する。また、テープ駆動部３３は、HDV MUX/DEMUX３４、DVコーデック３６からデータが供給されたとき、供給されたデータをテープに記録させる。
【００６７】
HDV MUX/DEMUX３４は、サブマイコン２２による制御にしたがって、HDVコーデック３５により符号化されたHDVフォーマットのデータからストリームを生成し、生成したストリームをIEEE1394 I/F３１、テープ駆動部３３に出力する。また、HDV MUX/DEMUX３４は、サブマイコン２２による制御にしたがって、IEEE1394 I/F３１から供給されたストリームから所定のパケットを抽出し、抽出したパケットをHDVコーデック３５に出力する。
【００６８】
さらに、HDV MUX/DEMUX３４は、外部機器からIEEE1394 I/F３１により取り込まれ、供給されたコンテンツのストリームをテープ駆動部３３に出力し、テープ装着部１１に装着されたテープに記録させる。
【００６９】
HDVコーデック３５は、サブマイコン２２による制御にしたがって、ベースバンドブロック３７から供給されたデータをHDVフォーマットのデータとして符号化し、符号化して得られたデータをHDV MUX/DEMUX３４に出力する。また、HDVコーデック３５は、サブマイコン２２による制御にしたがって、HDV MUX/DEMUX３４から供給されたデータを復号し、復号して得られたデータをベースバンドブロック３７に出力する。
【００７０】
DVコーデック３６は、サブマイコン２２による制御にしたがって、ベースバンドブロック３７から供給されたデータをDVフォーマットのデータとして符号化し、符号化して得られたデータをIEEE1394 I/F３１、またはテープ駆動部３３に出力する。また、DVコーデック３６は、サブマイコン２２による制御にしたがって、IEEE1394 I/F３１、テープ駆動部３３から供給されたデータを復号し、復号して得られたデータをベースバンドブロック３７に出力する。
【００７１】
さらに、DVコーデック３６は、外部機器からIEEE1394 I/F３１により取り込まれ、供給されたコンテンツをテープ駆動部３３に出力し、テープ装着部１１に装着されたテープに記録させる。
【００７２】
ベースバンドブロック３７は、メインマイコン２１による制御にしたがって、表示部１２の表示を制御したり、供給されたデータに所定の処理を施すことによって得られたデータを外部の機器に出力したりする。例えば、ベースバンドブロック３７は、図３に示されるような取り込みモードの選択画面を表示部１２に表示させる。
【００７３】
ベースバンドブロック３７は、Ｓ端子３８、Ｄ端子３９、HDMI(High-Definition Multimedia Interface)端子４０に接続される外部モニタに画像を表示させたりもする。
【００７４】
電源マイコン４１は、記録制御装置１の各部に対する電源の供給を制御する。
【００７５】
ここで、図８を参照して、外部機器を制御してダビングを行う記録制御装置１の処理について説明する。
【００７６】
この処理は、例えば、表示部１２に表示された取り込みモードの選択画面から所定のモードが選択され、ダビングを開始するための所定の操作がユーザにより行われたときに開始される。
【００７７】
ステップＳ１において、メインマイコン２１は、ユーザによる開始操作を受け付け、ダビング機能を起動させる。ここでは、ダビング元、ダビング先のテープを巻き戻してからダビングを行うか否かがユーザにより選択される。
【００７８】
ダビング元、ダビング先のテープを巻き戻してからダビングを行うことがユーザにより選択されたとき、ステップＳ２に進み、メインマイコン２１は、サブマイコン２２を制御して、プレーヤである外部機器にダビング元のテープの巻き戻しを行わせるとともに、テープ装着部１１に装着されているダビング先のテープの巻き戻しを行わせる。サブマイコン２２による制御にしたがって、IEEE1394 I/F３１から外部機器に対してテープの巻き戻しを指示するAV/Cコマンドが出力され、また、テープ駆動部３３によりテープの巻き戻しが行われる。
【００７９】
なお、図８において、各ステップを表す枠の中に示される「Ｐ」の文字はプレーヤである外部機器を表し、「Ｒ」の文字はレコーダである記録制御装置１を表す。
【００８０】
ステップＳ１の状態においてダビング元、ダビング先のテープを巻き戻してからダビングを行うことが選択されなかったとき、または、ステップＳ２においてダビング元、ダビング先のテープの巻き戻しが完了したとき、処理はステップＳ３に進む。
【００８１】
ステップＳ３において、メインマイコン２１は、サブマイコン２２を制御して、外部機器の状態を再生一時停止の状態にさせるとともに、テープ駆動部３３による記録の状態を記録一時停止の状態にさせる。このとき、ダビングを行うための準備をメインマイコン２１は各部に行わせる。例えば、ユーザにより選択された取り込みモードの情報がメインマイコン２１からサブマイコン２２に通知されたりする。
【００８２】
ダビングの準備が完了したとき、ステップＳ４に進み、メインマイコン２１は、サブマイコン２２を制御して、ダビング元のテープに記録されているコンテンツの再生を外部機器に行わせるとともに、IEEE1394 I/F３１により取り込まれたコンテンツをダビング先のテープに記録させる。
【００８３】
すなわち、IEEE1394 I/F３１から外部機器に対してコンテンツの再生を指示するAV/Cコマンドが出力され、このコマンドが実行されることに応じてIEEE1394ケーブルを介して外部機器から供給されたコンテンツがIEEE1394 I/F３１により取り込まれる。IEEE1394 I/F３１により取り込まれたコンテンツはそのフォーマットに応じてHDV MUX/DEMUX３４、DVコーデック３６に出力され、HDV MUX/DEMUX３４、DVコーデック３６を介してテープ駆動部３３に出力される。テープ駆動部３３に出力されたコンテンツは、テープ装着部１１に装着されたダビング先のテープに、再生順に記録される。
【００８４】
このようなダビングを行っているステップＳ４の状態で、外部機器から通知される情報に基づいて例えばIEEE1394 I/F３１により無信号が検出されたとき、または取り込み対象のフォーマットとしてユーザにより指定されたフォーマット以外のコンテンツが検出されたとき、処理はステップＳ５に進む。
【００８５】
取り込みモードとして「ALL」が選択されている場合、HDV1080iフォーマットのコンテンツ、DVCAMフォーマットのコンテンツ、DV SPフォーマット、DV LPフォーマット以外のフォーマットのコンテンツが検出されたときに、指定されたフォーマット以外のコンテンツが検出されたと判断される。上述したように、DV LPフォーマットのコンテンツが検出された場合、そのコンテンツはIEEE1394 I/F３１により取り込まれ、DVコーデック３６によりDV SPフォーマットのコンテンツに変換されてダビング先のテープに記録される。
【００８６】
また、取り込みモードとして「HDV1080i」が選択されている場合、HDV1080iフォーマット以外のフォーマットのコンテンツが検出されたときに、指定されたフォーマット以外のコンテンツが検出されたと判断され、「DVCAM」が選択されている場合、DVCAMフォーマット以外のフォーマットのコンテンツが検出されたときに、指定されたフォーマット以外のコンテンツが検出されたと判断される。
【００８７】
取り込みモードとして「DV SP」が選択されている場合、DV SPフォーマット以外のフォーマットのコンテンツが検出されたときに、指定されたフォーマット以外のコンテンツが検出されたと判断される。
【００８８】
ステップＳ５において、メインマイコン２１は、サブマイコン２２を制御して、外部機器に、無信号が記録されているテープの位置、指定されたフォーマット以外のフォーマットのコンテンツが記録されているテープの位置を早送りさせるとともに、テープ駆動部３３による記録の状態を停止状態にさせる。
【００８９】
これにより、外部機器において早送りが行われている間、ダビング先のテープにはいずれのコンテンツも記録されない。なお、取り込みモードとして「ALL」が選択されており、HDV720pフォーマットのコンテンツがダビング元のテープに記録されていることが検出された場合、ダビング先のテープには上述したように無信号が記録される。
【００９０】
ステップＳ５において外部機器による早送りが行われているときに、例えば、ダビング元のテープにコンテンツが記録されていることがIEEE1394 I/F３１により検出され、その検出されたコンテンツが、ユーザにより指定されているフォーマットのコンテンツであると判断された場合、処理はステップＳ４に戻り、外部機器によるコンテンツの再生と、記録制御装置１による記録が再開される。
【００９１】
後述するように、ステップＳ６で巻き戻しが完了したときも同様に、ステップＳ４において、外部機器によるコンテンツの再生と、記録制御装置１による記録が再開される。
【００９２】
ダビングを行っているステップＳ４の状態か、ダビング元のテープの早送りを行っているステップＳ５の状態で、例えば、ダビング元のテープのテープエンドがIEEE1394 I/F３１により検出されたとき、または、テープ装着部１１に装着されているダビング先のテープのテープエンドがテープ駆動部３３により検出されたとき、処理はステップＳ７に進む。
【００９３】
また、以上のステップＳ２乃至Ｓ４の状態でダビングの中断操作がユーザにより行われ、それがメインマイコン２１により受け付けられたときも処理はステップＳ７に進む。
【００９４】
ステップＳ７において、メインマイコン２１は、サブマイコン２２を制御して、外部機器に再生を停止させるとともに、テープ駆動部３３に記録を停止させる。このとき、外部機器に装着されているテープの交換や、記録制御装置１のテープ装着部１１に装着されているテープの交換などが可能になる。
【００９５】
ダビングの再開操作がユーザにより行われ、それがメインマイコン２１により受け付けられた場合、ダビング元、ダビング先のテープを巻き戻してからダビングを行うことがユーザにより選択されていないときには、処理はステップＳ４に戻り、ダビングが再開される。
【００９６】
一方、ステップＳ７でダビングの再開操作がユーザにより行われ、それがメインマイコン２１により受け付けられた場合、交換されたダビング元、ダビング先のテープを巻き戻してからダビングを行うことがユーザにより選択されているときには処理はステップＳ６に進む。
【００９７】
ステップＳ６において、メインマイコン２１は、サブマイコン２２を制御して、ダビング元のテープとダビング先のテープのうち、交換された方のテープの巻き戻しを行わせ、巻き戻しが完了したとき、ステップＳ４に進み、ダビングを再開させる。
【００９８】
また、ダビングを中断しているステップＳ７の状態でエラーの発生が確認された場合、ステップＳ８に進み、エラーの再確認が行われる。エラーを解消する操作がユーザにより行われ、それがメインマイコン２１により受け付けられたとき、処理はステップＳ７に戻る。
【００９９】
ステップＳ７の状態において、ダビングの終了操作がユーザにより行われ、それがメインマイコン２１により受け付けられた場合、メインマイコン２１は、ステップＳ９に進み、ダビング処理を終了させる。
【０１００】
以上のような流れで動作が行われることにより、ユーザによる選択に応じたダビングが実現される。
【０１０１】
なお、上述した処理のうち、ステップＳ２の状態、ステップＳ３の状態、ステップＳ４の状態、ステップＳ５の状態、および、ステップＳ６の状態は実行状態としてまとめられる。また、この実行状態のうち、ステップＳ４の状態とステップＳ５の状態はダビング実行中の状態としてまとめられる。
【０１０２】
ステップＳ７の状態、ステップＳ８の状態は中断状態としてまとめられる。
【０１０３】
実行状態、中断状態でエラーが検出された場合、あるいはステップＳ１でダビング機能が起動した直後にエラーが検出された場合、ステップＳ１０においてエラー処理が行われ、状態に応じてステップＳ１１に進み、ダビング処理は終了される。
【０１０４】
以上においては、記録制御装置１とビデオカメラ２、記録制御装置１と再生装置３といったように、１対１の関係でダビングが行われる場合について説明したが、記録制御装置１に複数の外部機器が同時に接続され、接続されたそれぞれの外部機器に装着された複数のテープをダビング元のテープとしてダビングが行われるようにしてもよい。記録制御装置１に複数の外部機器を接続し、それぞれの外部機器にダビング元のテープを装着することによって、ユーザは、テープ交換の手間を減らしたり、省くことができる。
【０１０５】
また、以上においては、基本的に、ユーザが指定したフォーマット以外のフォーマットのコンテンツは再生されずに早送りされ、記録制御装置１に取り込まれないものとしたが、ユーザが指定したフォーマット以外のフォーマットのコンテンツについては、ユーザが指定したフォーマットに変換され、ダビング先のテープに記録されるようにしてもよい。
【０１０６】
フォーマット毎のダビングされた時間、記録位置の情報、エラー情報などのダビング結果を表す情報が、ダビングの終了時に表示部１２に表示されるようにしてもよい。
【０１０７】
また、複数のフォーマットのコンテンツがダビング元のテープに記録されている場合、「時系列順にみて何番目に記録されているこのフォーマットのコンテンツ」といった形で取り込みの対象とするコンテンツをユーザが指定することができるようにしてもよい。
【０１０８】
この場合、ダビング元のテープの頭出しが行われ、ユーザにより指定されたコンテンツから再生が開始され、ダビングが行われる。例えば、図６の上方に示されるコンテンツがダビング元のテープに記録されている場合、２番目に記録されているHDV1080iフォーマットのコンテンツを指定することによって、ユーザは、右端に示されるHDV1080iフォーマットのコンテンツからダビングを開始させることができる。
【０１０９】
以上においては、ダビング元の記録媒体とダビング先の記録媒体がいずれもテープである場合について主に説明したが、ハードディスク、半導体メモリを内蔵したメモリカード、DVD(Digital Versatile Disc)などの光ディスクなどの、他の記録媒体がダビング元の記録媒体、ダビング先の記録媒体として用いられるようにしてもよい。
【０１１０】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１１１】
図９は、上述した一連の処理をプログラムにより実行するパーソナルコンピュータの構成の例を示すブロック図である。
【０１１２】
CPU(Central Processing Unit)１０１は、ROM(Read Only Memory)１０２、または記憶部１０８に記憶されているプログラムに従って各種の処理を実行する。RAM(Random Access Memory)１０３には、CPU１０１が実行するプログラムやデータなどが適宜記憶される。これらのCPU１０１、ROM１０２、およびRAM１０３は、バス１０４により相互に接続されている。
【０１１３】
CPU１０１にはまた、バス１０４を介して入出力インターフェース１０５が接続されている。入出力インターフェース１０５には、キーボード、マウス、マイクロホンなどよりなる入力部１０６、ディスプレイ、スピーカなどよりなる出力部１０７が接続されている。CPU１０１は、入力部１０６から入力される指令に対応して各種の処理を実行する。そして、CPU１０１は、処理の結果を出力部１０７に出力する。
【０１１４】
入出力インターフェース１０５に接続されている記憶部１０８は、例えばハードディスクからなり、CPU１０１が実行するプログラムや各種のデータを記憶する。通信部１０９は、インターネットやローカルエリアネットワークなどのネットワークを介して外部の装置と通信する。
【０１１５】
入出力インターフェース１０５に接続されているドライブ１１０は、磁気ディスク、光ディスク、光磁気ディスク、或いは半導体メモリなどのリムーバブルメディア１１１が装着されたとき、それらを駆動し、そこに記録されているプログラムやデータなどを取得する。取得されたプログラムやデータは、必要に応じて記憶部１０８に転送され、記憶される。
【０１１６】
コンピュータにインストールされ、コンピュータによって実行可能な状態とされるプログラムを格納するプログラム記録媒体は、図９に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア１１１、または、プログラムが一時的もしくは永続的に格納されるROM１０２や、記憶部１０８を構成するハードディスクなどにより構成される。プログラム記録媒体へのプログラムの格納は、必要に応じてルータ、モデムなどのインターフェースである通信部１０９を介して、ローカルエリアネットワーク、インターネット、デジタル衛星放送といった、有線または無線の通信媒体を利用して行われる。
【０１１７】
なお、本明細書において、プログラムを記述するステップは、記載された順序に沿って時系列的に行われる処理はもちろん、必ずしも時系列的に処理されなくとも、並列的あるいは個別に実行される処理をも含むものである。
【０１１８】
また、本明細書において、システムとは、複数の装置により構成される装置全体を表すものである。
【図面の簡単な説明】
【０１１９】
【図１】本発明の一実施形態に係る記録制御装置を含む記録制御システムの構成例を示す図である。
【図２】ダビングの概念を示す図である。
【図３】取り込みモードの選択画面の例を示す図である。
【図４】それぞれのモードが選択されているときの動作の例を示す図である。
【図５】ダビングの例を示す図である。
【図６】ダビングの他の例を示す図である。
【図７】記録制御装置の構成例を示すブロック図である。
【図８】記録制御装置の動作を説明するシーケンス図である。
【図９】パーソナルコンピュータの構成例を示すブロック図である。
【符号の説明】
【０１２０】
１  記録制御装置，  ２  ビデオカメラ，  ３  再生装置，  １２  表示部，  ２１  メインマイコン，  ２２  サブマイコン，  ３１  IEEE1394 I/F，  ３３  テープ駆動部，  ３４  HDV MUX/DEMUX，  ３５  HDVコーデック，  ３６  DVコーデック
【図１】
2007220220.tif 000003
【図２】
2007220220.tif 000004
【図３】
2007220220.tif 000005
【図４】
2007220220.tif 000006
【図５】
2007220220.tif 000007
【図６】
2007220220.tif 000008
【図７】
2007220220.tif 000009
【図８】
2007220220.tif 000010
【図９】
2007220220.tif 000011